(57)【要約】【課題】ＰＤＰ装置において、安定化した傾斜波を出力でき、それによりＰＤＰ表示動作を安定化できる技術を提供する。【解決手段】本ＰＤＰ装置は、回路部に、ＰＤＰの電極に対する傾斜波を出力する傾斜波出力装置１００を有し、傾斜波出力装置１００は、傾きが変更可能な第１の傾斜波（ｓ１）を生成して出力する傾斜波生成回路１１０と、第１の傾斜波（ｓ１）を入力してインピーダンス変換して第２の傾斜波（ｓ２）として出力するインピーダンス変換回路１２０と、第２の傾斜波（ｓ２）を入力して傾斜波生成回路１１０の入力に帰還する帰還回路１３０とを有し、第２の傾斜波（ｓ２）を傾斜波（出力電圧ＶＯ）として出力する。【選択図】図１
2008032882.tif 000002
【特許請求の範囲】
【請求項１】
複数の電極により容量性負荷が形成されるプラズマディスプレイパネルと、前記電極に駆動の電圧を印加する回路部とを備えるプラズマディスプレイ装置であって、
前記回路部は、前記電極に印加する電圧として、印加電圧が時間的に漸増もしくは漸減する傾斜波を出力する傾斜波出力装置を有し、
前記傾斜波出力装置は、
第１の傾斜波を生成して出力し、当該回路の出力である前記第１の傾斜波の傾きを電気的に変更する傾斜波生成回路と、
前記第１の傾斜波を入力してインピーダンス変換して第２の傾斜波として出力するインピーダンス変換回路と、
前記第２の傾斜波を入力して前記傾斜波生成回路の入力に帰還する帰還回路とを有し、
前記第２の傾斜波を前記電極に印加する傾斜波として出力することを特徴とするプラズマディスプレイ装置。
【請求項２】
請求項１記載のプラズマディスプレイ装置において、
前記傾斜波生成回路は、容量性負荷を持つ回路素子と、電流源とを備え、当該回路の入力の電圧により前記電流源の電流値を変化させることを特徴とするプラズマディスプレイ装置。
【請求項３】
請求項１記載のプラズマディスプレイ装置において、
前記インピーダンス変換回路は、外部制御入力により当該回路の入力と出力を電気的に短絡する回路を備えることを特徴とするプラズマディスプレイ装置。
【請求項４】
請求項１記載のプラズマディスプレイ装置において、
前記帰還回路は、当該回路の入力がダイオードを介してコンデンサに与えられ、当該回路の出力が前記コンデンサの両端の電圧であることを特徴とするプラズマディスプレイ装置。
【請求項５】
請求項２記載のプラズマディスプレイ装置において、
前記帰還回路は、外部制御電圧を入力し、前記第２の傾斜波と前記外部制御電圧との差の電圧を出力し、
前記傾斜波生成回路は、前記差の電圧を入力してそれにより前記電流源の電流値を決定することを特徴とするプラズマディスプレイ装置。
【請求項６】
請求項１記載のプラズマディスプレイ装置において、
前記傾斜波生成回路は、オンまたはオフの２つの状態の入力を持ち、前記第１の傾斜波の傾きを、一方の状態の入力により増加させて他方の状態の入力により減少させることを特徴とするプラズマディスプレイ装置。
【請求項７】
請求項１記載のプラズマディスプレイ装置において、
前記帰還回路は、外部制御電圧を入力し、前記第２の傾斜波と前記外部制御電圧との２つの入力の電圧値を比較し、その大小関係によりオンまたはオフの２つの状態を出力する比較回路を有することを特徴とするプラズマディスプレイ装置。
【請求項８】
請求項１記載のプラズマディスプレイ装置において、
前記電極としてＸ電極、Ｙ電極、及びアドレス電極を有し、
前記回路部は、前記Ｙ電極に駆動の電圧としてリセット、走査、及びサステインの各波形を印加するＹ電極駆動回路を有し、
前記Ｙ電極駆動回路内の前記リセットの波形を出力する回路として前記傾斜波出力装置を有することを特徴とするプラズマディスプレイ装置。
【発明の詳細な説明】
【技術分野】
【０００１】
本発明は、プラズマディスプレイパネル（ＰＤＰ）を備える表示装置（プラズマディスプレイ装置：ＰＤＰ装置）の技術に関し、特に、ＰＤＰ駆動制御の電圧波形として傾斜波（鈍波）を出力する回路装置に関する。
【背景技術】
【０００２】
従来のＰＤＰ装置において、傾斜波出力装置（回路）により、サブフィールド駆動制御におけるリセット期間の動作などにおいて、ＰＤＰの電極に対して傾斜波を出力している。
【０００３】
従来のＰＤＰ装置における傾斜波出力装置には、例えば特開２００２−３２８６４９号公報（特許文献１）に記載されているような形態がある。これは、容量性負荷と定電流源を用いて傾斜波を生成し、インピーダンス変換回路を通して出力することにより実現している。これは、実際に使用される形態としては、図６のような回路構成であることが多い。
【０００４】
図６において、傾斜波出力装置９００では、Ｃ０１が容量性負荷であり、Ｅ０１（電圧）とＲ０１（抵抗）の部分が定電流源となり、Ｑ０１（ＦＥＴ：電界効果トランジスタ）によりインピーダンス変換がなされる。ＳＷ０１等はスイッチ、Ｖｐ等は電源、ＳＰ，ＣＵ，ＣＤはスイッチの外部制御入力である。出力はＰＤＰのセルに接続されている。傾斜波出力回路９００の右側はＹサステイン波形出力回路である。この傾斜波出力回路９００は、図７のように、ＳＷ０１（ＳＰ）のハイレベル（Ｈ）がオンの時にアクティブになる。このとき、Ｑ０１のゲートとソースは略同じ電圧になるため、Ｒ０１の両端には常にＥ０１の電圧がかかり、Ｅ０１，Ｒ０１が定電流Ｉ＝Ｅ０１／Ｒ０１をＣ０１に出力する。この結果、Ｃ０１の両端に傾斜波が生成され、その傾斜波信号が、Ｑ０１を通して出力される。ＳＷ０１のローレベルがオンの時は、Ｑ０１のゲート−ソース間が短絡されるため、Ｑ０１が非動作状態になり、傾斜波の出力が止まる。
【特許文献１】特開２００２−３２８６４９号公報
【発明の開示】
【発明が解決しようとする課題】
【０００５】
従来のＰＤＰ装置における傾斜波出力装置は、傾斜波信号の生成のために容量性負荷と定電流源を用いており、傾斜波の傾きはコンデンサ（Ｃ０１）や抵抗（Ｒ０１）等の素子定数により決定される。このため、それらの素子定数の誤差により、傾斜波の傾きに差が生じる。
【０００６】
一方、ＰＤＰ駆動制御において用いる傾斜波（特にリセット波形）は、徐々に電圧を変化させることにより微弱放電を実現するものである。よって、図８（ａ）のように、所定の時間（ｔ）丁度に所定の到達電圧Ｖｐに達する波形が望ましい。しかし、図８（ｂ）のように、傾きが急峻になりすぎると、放電発光が強大になり所望の性能が得られない。また逆に、図８（ｃ）のように、傾きが緩やかになると、傾斜波の電圧値がＶｐまで到達しない。
【０００７】
以上のように、一般的な素子定数の誤差により傾斜波が不安定になり、それにより表示動作が不安定になることが問題となっている。
【０００８】
本発明は以上のような問題に鑑みてなされたものであり、その目的は、ＰＤＰ装置において、安定化した傾斜波を出力でき、それによりＰＤＰ表示動作を安定化できる技術を提供することにある。
【課題を解決するための手段】
【０００９】
本願において開示される発明のうち、代表的なものの概要を簡単に説明すれば、次のとおりである。前記目的を達成するために、本発明は、電極群により容量性負荷であるセルの行列が形成されるＰＤＰと、ＰＤＰの電極に駆動及び制御のための電圧波形を印加する回路部（駆動回路など）とを備えるＰＤＰ装置の技術であって、以下に示す技術的手段を備えることを特徴とする。
【００１０】
本ＰＤＰ装置では、回路部に、電極に印加する電圧として、印加電圧が時間的に漸増もしくは漸減する傾斜波（鈍波）を出力する傾斜波出力装置（回路）を有する。傾斜波出力装置において、傾斜波の出力電圧に帰還（負帰還）をかけることによって、傾斜波の傾きの安定化を実現する。
【００１１】
本ＰＤＰ装置において、傾斜波出力装置は、第１の傾斜波を生成して出力し、当該回路の出力である第１の傾斜波の傾きを電気的に変更する傾斜波生成回路と、第１の傾斜波を入力してインピーダンス変換して第２の傾斜波として出力するインピーダンス変換回路と、第２の傾斜波を入力して傾斜波生成回路の入力に帰還する帰還回路とを有し、第２の傾斜波を前記電極に印加する傾斜波（出力電圧）として出力する。
【００１２】
また、傾斜波生成回路は、容量性負荷を持つ回路素子と、電流源とを備え、当該回路の入力の電圧により電流源の電流値を変化させる。また、インピーダンス変換回路は、外部制御入力により当該回路の入力と出力を電気的に短絡するスイッチ等の回路を備える。また例えば傾斜波出力装置は以下のような構成である。
【００１３】
（１）帰還回路は、当該回路の入力である第２の傾斜波がダイオードを介してコンデンサに与えられ、当該回路の出力がコンデンサの両端の電圧である回路である。
【００１４】
（２）帰還回路は、外部制御電圧（Ｖｒ）を入力し、第２の傾斜波と外部制御電圧（Ｖｒ）との差の電圧（Ｖoff）を出力する。傾斜波生成回路は、差の電圧（Ｖoff）を入力してそれにより電流源の電流値を決定する。
【００１５】
（３）傾斜波生成回路は、オンまたはオフの２つの状態の入力を持ち、第１の傾斜波の傾きを、一方の状態の入力により増加させて他方の状態の入力により減少させる。また、帰還回路は、外部制御電圧（Ｖｒ）を入力し、第２の傾斜波と外部制御電圧（Ｖｒ）との２つの入力の電圧値を比較し、その大小関係によりオンまたはオフの２つの状態を出力する比較回路を有する。
【発明の効果】
【００１６】
本願において開示される発明のうち、代表的なものによって得られる効果を簡単に説明すれば以下のとおりである。本発明によれば、ＰＤＰ装置において、安定化した傾斜波を出力でき、それによりＰＤＰ表示動作を安定化できる。
【発明を実施するための最良の形態】
【００１７】
以下、本発明の実施の形態を図面に基づいて詳細に説明する。なお、実施の形態を説明するための全図において、同一部には原則として同一符号を付し、その繰り返しの説明は省略する。
【００１８】
＜概要＞
図１において、本発明の実施の形態のＰＤＰ装置における傾斜波出力装置１００の特徴及び概要のブロック構成を示している。傾斜波出力装置１００は、傾斜波生成回路１１０で生成する傾斜波の出力電圧（ＶＯ）に対して帰還回路１３０によって帰還をかける。これによって図８（ａ）のように傾斜波の傾きの安定化を実現する。本発明の各実施の形態におけるＰＤＰ装置の傾斜波出力装置は、図１に示す特徴の傾斜波出力装置１００のブロック構成を、異なる詳細回路構成で実現したものである。
【００１９】
図１に示すように、傾斜波出力装置１００は、具体的には、傾斜波生成回路１１０、インピーダンス変換回路１２０、及び帰還回路１３０を設ける。傾斜波生成回路１１０は、定電流源１１０１と容量性負荷１１０２とを備え、傾斜波（ｓ１）を生成して出力する。インピーダンス変換回路１２０は、傾斜波生成回路１１０の出力である第１の傾斜波（ｓ１）をインピーダンス変換して第２の傾斜波（ｓ２）として出力し、これを傾斜波出力装置１００の出力電圧（ＶＯ）とする。そして、本傾斜波出力装置１００は、インピーダンス変換回路１２０の出力（ｓ２）である出力電圧（ＶＯ）から、帰還回路１３０により、傾斜波生成回路１１０の傾斜波（ｓ１）の傾きへの帰還（負帰還）をかける。これにより、出力電圧（ＶＯ）における傾斜波の安定化を実現する。傾斜波生成回路１１０は、帰還回路１３０からの入力電圧（ｓ３）に対して、定電流源１１０１の電流値を変えることにより、出力電圧（ｓ１）の傾きを変えることができる回路である。
【００２０】
＜ＰＤＰ装置＞
図２において、本実施の形態のＰＤＰ装置（ＰＤＰモジュール）の全体の構成を説明する。本ＰＤＰ装置は、主に、ＰＤＰ１０と、その駆動及び制御のための回路部とを備える。ＰＤＰモジュールは、図示しないシャーシ部に対して、ＰＤＰ１０が貼り付けられて保持され、回路部がＩＣ等で構成され、ＰＤＰ１０と回路部とが電気的に接続される構成である。
【００２１】
ＰＤＰ１０のＸ電極（維持電極）１１，Ｙ電極（走査電極）１２，アドレス電極１５は、それぞれ対応する駆動回路（ドライバ）である、Ｘ電極駆動回路２０１，Ｙ電極駆動回路２０２，アドレス電極駆動回路２０５に対して接続されており、対応する駆動信号の電圧波形によって駆動される。各ドライバ（２０１，２０２，２０５）は、制御回路２１０に接続されており制御信号により制御される。制御回路２１０は、各ドライバを含むＰＤＰ装置の全体を制御するものであり、入力される表示データ（映像信号）をもとに、ＰＤＰ１０の駆動のための制御信号や表示データ（ＳＦデータ）等を生成し、各ドライバへ出力する。また、図示しない電源回路が、制御回路２１０等の各回路に対し電源供給する。
【００２２】
ＰＤＰ１０の構造の一例を説明する。ＰＤＰ１０は、主にガラスで構成される、前面基板側の構造体と背面基板側の構造体とが対向して組み合わされ、その周囲部が封止され、その空間に放電ガスが封入されることにより構成される。前面基板上には、維持放電等を行うための表示電極である複数のＸ電極１１及びＹ電極１２が、横方向に平行に伸びて縦方向に交互に繰り返して形成される。これらの表示電極群は、誘電体層及び保護層等に覆われている。背面基板上には、複数のアドレス電極１５が縦方向に平行に伸びて形成され誘電体層に覆われている。アドレス電極１５の両側には、縦方向に伸びる隔壁が形成され、列方向を区分けしている。更に、隔壁間には、紫外線により励起されて赤（Ｒ），緑（Ｇ），青（Ｂ）の可視光を発生する各色の蛍光体が塗布されている。Ｘ電極１１とＹ電極１２の対により表示の行（ライン）を形成し、更にアドレス電極１５が交差して隔壁で区切られる領域に対応してセル（容量性負荷）が構成される。Ｒ，Ｇ，Ｂのセルのセットで画素が構成される。ＰＤＰ１０は、駆動方式などに応じて各種構造が存在し、本発明及び実施の形態の特徴は、その各種のＰＤＰ１０に対して適用可能である。
【００２３】
ＰＤＰ１０の駆動制御の方式は、一般的なサブフィールド法及びアドレス表示分離方式（ＡＤＳ）を用いる。ＰＤＰ１０の表示領域（画面）に対応するフィールドにおける構成を説明する。１つのフィールドは、階調表現のために時間的に分割される複数のサブフィールドにより構成され、各サブフィールドは、リセット期間、アドレス期間、サステイン期間からなる。フィールドの各サブフィールドは、サステイン期間の長さによる重み付けが与えられており、サブフィールドの点灯のオン／オフの組み合わせによって階調が表現される。
【００２４】
リセット期間では、表示電極に対するリセット波形の印加により、サブフィールドのセル群に対して、前のサブフィールドのサステイン期間で形成された電荷の消去や次のアドレス期間の動作の準備のための電荷書き込み（蓄積）及び調整のリセット動作を行う。アドレス期間では、サブフィールドのセル群における点灯／非点灯のセルを選択するアドレス動作を行う。サステイン期間では、直前のアドレス期間で選択されたセル（点灯対象セル）で表示のための繰り返しの維持放電を発生させるサステイン動作を行う。リセット期間では、例えば、電荷書き込みや調整のための波形として傾斜波を印加する。これにより、セルで微小な放電（リセット放電）が発生し、次のアドレス期間でのアドレス放電の発生を確実にする。
【００２５】
（実施の形態１）
図３において、本発明の実施の形態１のＰＤＰ装置における傾斜波出力装置１０１の回路構成を説明する。傾斜波出力装置１０１は、傾斜波生成回路１１１、インピーダンス変換回路１２１、帰還回路１３１を有する構成である。傾斜波生成回路１１１の出力（ｓ１）をインピーダンス変換回路１２１に入力してインピーダンス変換し、その出力（ｓ２）を帰還回路１３１に入力し、その出力（ｓ３）を傾斜波生成回路１１１に入力する。インピーダンス変換回路１２１の出力（ｓ２）が、傾斜波出力装置１０１の出力電圧（ＶＯ）となる。
【００２６】
傾斜波出力装置１０１は、例えば図６と同様に、Ｙ電極駆動回路２０２内のリセット波形出力回路として構成され、Ｙサステイン波形出力回路や走査波形出力回路に接続される。
【００２７】
インピーダンス変換回路１２１は、従来の回路とほぼ同じ構成であり、ＦＥＴＱ１１のゲート−ソース間をスイッチＳＷ１１により開放／短絡することにより、動作／非動作を切り替える。
【００２８】
傾斜波生成回路１１１は、入力電圧（ｓ３）に対して、出力（ｓ１）である傾斜波の傾きが変化する回路となっている。コンデンサＣ１１、抵抗Ｒ１１、及びトランジスタＴ１１の部分が定電流源を構成し、その電流値は、コンデンサＣ１１の両端電圧を抵抗Ｒ１１の抵抗値で割った値になる。従って、入力電圧（ｓ３）をＶｉとすると、傾斜波（ｓ１）の傾きは、（（Ｖｐ−Ｖｉ）／Ｒ１１）／Ｃ１１）となる。
【００２９】
帰還回路１３１は、傾斜波出力装置１０１の出力（ｓ２，ＶＯ）である傾斜波の波高値を出力（ｓ３）として返す回路である。
【００３０】
本傾斜波出力装置１０１は、次のように動作する。傾斜波（ｓ１）の波高値がＶｐに達すると、帰還回路１３１による帰還により、傾斜を緩やかにする方向、即ち波高値を下げる方向に動作する。逆に傾斜波の波高値が下がると、波形を急峻にする方向、即ち波高値を上げる方向に、帰還がかかる。この結果、傾斜波の波高値がＶｐよりやや下の電圧で安定化する。傾斜波の波高値とＶｐの差は、帰還回路１３１の抵抗Ｒ１４，Ｒ１５によって調整でき、Ｒ１４に対してＲ１５の抵抗値が十分に小さければ、波高値はＶｐとほぼ同じになる。
【００３１】
実施の形態１によれば、図８（ａ）のような安定化した傾斜波を出力できる。
【００３２】
（実施の形態２）
次に、図４おいて、本発明の実施の形態２のＰＤＰ装置における傾斜波出力装置１０２の回路構成を説明する。傾斜波出力装置１０２は、傾斜波生成回路１１２、インピーダンス変換回路１２２、帰還回路１３２を有する構成である。傾斜波生成回路１１２の出力（ｓ１）をインピーダンス変換回路１２２に入力してインピーダンス変換し、その出力（ｓ２）を帰還回路１３２に入力し、その出力（ｓ３）を傾斜波生成回路１１２に入力する。インピーダンス変換回路１２２の出力（ｓ２）が、傾斜波出力装置１０２の出力電圧（ＶＯ）となる。
【００３３】
実施の形態２の傾斜波出力装置１０２は、傾斜波の波高値を外部制御できる回路構成である。波高値の制御は、帰還回路１３２の入力Ｖｒによって行うことができる。帰還回路１３２のコンデンサＣ２２の両端の電圧がオフセット電圧（Ｖoff）である。
【００３４】
帰還回路１３２の出力（ｓ３）は、傾斜波出力装置１０２の出力電圧（ＶＯ）にオフセット電圧（Ｖoff）を加えた値（ＶＯ＋Ｖoff）になり、その値がＶｒを超える場合（ＶＯ＋Ｖoff＞Ｖｒ）、オフセット電圧（Ｖoff）を減少させるように働き、逆に、その値がＶｒ以下の場合（ＶＯ＋Ｖoff≦Ｖｒ）、オフセット電圧（Ｖoff）を増加させるように働く。
【００３５】
傾斜波生成回路１１２は、帰還回路１３２からのオフセット電圧（Ｖoff）によって傾斜波（ｓ１）の傾きが変化する回路である。傾斜波生成回路１１２の出力（ｓ１）は、インピーダンス変換回路１２２の出力電圧（ｓ２）とほぼ同じであり、トランジスタＴ２１のエミッタ電圧は入力電圧（ｓ１）とほぼ同じである。そのため、オフセット電圧（Ｖoff）は、抵抗Ｒ２２にかかる。よって、オフセット電圧（Ｖoff）に対して、傾斜波（ｓ１）の傾きは、（Ｖoff／Ｒ２２）／Ｃ２１になる。
【００３６】
本傾斜波出力装置１０２では、厳密に言えば、傾斜波の波高値がＶｒよりやや下の電圧で安定化する。
【００３７】
実施の形態２によれば、図８（ａ）のような安定化した傾斜波を出力できる。
【００３８】
（実施の形態３）
次に、図５において、本発明の実施の形態３のＰＤＰ装置における傾斜波出力装置１０３の回路構成を説明する。傾斜波出力装置１０３は、傾斜波生成回路１１３、インピーダンス変換回路１２３、帰還回路１３３を有する構成である。傾斜波生成回路１１３の出力（ｓ１）をインピーダンス変換回路１２３に入力してインピーダンス変換し、その出力（ｓ２）を帰還回路１３３に入力し、その出力（ｓ３）を傾斜波生成回路１１３に入力する。インピーダンス変換回路１２３の出力（ｓ２）が、傾斜波出力装置１０３の出力電圧（ＶＯ）となる。
【００３９】
前記実施の形態２では、出力電圧（ＶＯ）は、Ｖｒよりもオフセット電圧（Ｖoff）分だけ下の値で安定化したが、本実施の形態３では、帰還回路１３３として比較回路を用いる構成により、出力電圧（ＶＯ）は、Ｖｒと同じ値で安定化する。Ｍ３１は、比較器である。
【００４０】
帰還回路１３３は、２つの入力である出力電圧（ＶＯ）と入力Ｖｒとの比較回路であり、２値の出力（ｓ３）を持つ。比較回路の２値の出力（ｓ３）は、出力電圧（ＶＯ）＞Ｖｒのときにハイレベル（Ｈ）が出力され、出力電圧（ＶＯ）＜Ｖｒのときにローレベル（Ｌ）が出力される。
【００４１】
傾斜波生成回路１１３は、帰還回路１３３からのオン（Ｈ）／オフ（Ｌ）の２値の入力を持ち、オン（Ｈ）状態のときに傾斜波（ｓ１）の傾きを減少させ、オフ（Ｌ）状態のときに傾斜波（ｓ１）の傾きを増加させる。主にトランジスタＴ３１において傾きを減少／増加する。入力（ｓ３）のオン／オフが、トランジスタＴ３１を介してトランジスタＴ３２に伝達され、コンデンサＣ３１の両端にかかる電圧を増減させる。トランジスタＴ３３の動作は実施の形態１の場合と同じである。
【００４２】
本傾斜波出力装置１０３は、傾斜波の波高値がＶｒとなった状態で安定化する。さらに、帰還回路１３３の抵抗Ｒ３８，Ｒ３９，Ｒ４０，Ｒ４１を調整することにより、傾斜はの波高値に演算を加えることもできる。波高値はＶｒの関数になり、ＶＯとＶｒの関係比を変更可能である。
【００４３】
実施の形態３によれば、図８（ａ）のような安定化した傾斜波を出力できる。
【００４４】
以上、本発明者によってなされた発明を実施の形態に基づき具体的に説明したが、本発明は前記実施の形態に限定されるものではなく、その要旨を逸脱しない範囲で種々変更可能であることは言うまでもない。
【産業上の利用可能性】
【００４５】
本発明は、プラズマディスプレイ装置等の傾斜波を出力する装置に利用可能である。
【図面の簡単な説明】
【００４６】
【図１】本発明の実施の形態のＰＤＰ装置における傾斜波出力装置の特徴及び概要のブロック構成を示す図である。
【図２】本発明の一実施の形態のＰＤＰ装置における全体の構成を示す図である。
【図３】本発明の実施の形態１のＰＤＰ装置における傾斜波出力装置の回路構成を示す図である。
【図４】本発明の実施の形態２のＰＤＰ装置における傾斜波出力装置の回路構成を示す図である。
【図５】本発明の実施の形態３のＰＤＰ装置における傾斜波出力装置の回路構成を示す図である。
【図６】従来技術のＰＤＰ装置における傾斜波出力装置の回路構成例を示す図である。
【図７】従来技術の図５の傾斜波出力装置における制御信号と出力波形を示す図である。
【図８】（ａ）〜（ｃ）は、従来技術の傾斜波出力装置における回路素子ばらつきと傾斜波の関係を示す図である。
【符号の説明】
【００４７】
１０…ＰＤＰ、１１…Ｘ電極、１２…Ｙ電極、１５…アドレス電極、１００〜１０３…傾斜波出力装置、１１０〜１１３…傾斜波生成回路、１２０〜１２３…インピーダンス変換回路、１３０〜１３３…帰還回路、２０１…Ｘ電極駆動回路、２０２…Ｙ電極駆動回路、２０５…アドレス電極駆動回路、２１０…制御回路、９００…傾斜波出力装置、１１０１…定電流源、１１０２…容量性負荷。
【図１】
2008032882.tif 000003
【図２】
2008032882.tif 000004
【図３】
2008032882.tif 000005
【図４】
2008032882.tif 000006
【図５】
2008032882.tif 000007
【図６】
2008032882.tif 000008
【図７】
2008032882.tif 000009
【図８】
2008032882.tif 000010